(57)【特許請求の範囲】
【請求項１】
少なくとも片面が離型紙によって覆われた貼着物を被貼着物に貼着する貼着物の貼着装置において、
前記被貼着物が載置されるターンテーブルの周囲に４つのステーションを設け、第１ステーションに前記ターンテーブルに供給される被貼着物を収納する容器を設け、第２ステーションに前記貼着物を所定長さに切断してターンテーブル上の被貼着物に仮止めする仮止め機構を設け、第３ステーションに前記貼着物を被貼着物に一定時間加熱加圧して圧着する仮付機構を設け、第４ステーションに前記離型紙を剥離する離型紙剥離機構を設けてなり、
前記離型紙剥離機構を、粘着テープと、この粘着テープを下降させて前記離型紙の一端部に密着させると再び上昇させることにより前記離型紙の一端部を前記粘着物から剥離させる手段と、前記手段によって持ち上げられた前記離型紙の一端部と前記粘着物との間に差し込まれ相対的に離型紙の他端側に移動することにより前記離型紙を前記粘着物から完全に離型させる離型板と、前記離型紙を前記粘着テープから剥離する手段とで構成したことを特徴とする貼着物の貼着装置。
【請求項２】
請求項１記載の貼着物の貼着装置において、
被貼着物が液晶表示パネルで、貼着物が異方性導電膜であることを特徴とする貼着物の貼着装置。
【発明の詳細な説明】
【０００１】
【発明の属する技術分野】
本発明は、両面に粘着性を有し少なくとも片面が離型紙によって覆われたフィルム状の貼着物、例えば異方性導電膜の貼着装置に係り、特に、液晶表示パネル等の配線基板の配線パターンとＴＣＰあるいはＦＰＣとの間に介在され、これらを電気的に接続する異方性導電膜を貼着する際に用いて好適な貼着物の貼着装置に関する。
【０００２】
【従来の技術】
表示装置の一つに液晶表示パネル（以下、ＬＣＤという）がある。このＬＣＤの端子と液晶駆動用回路を構成するＴＣＰあるいはＦＰＣとを電気的に接続する方法の一つとして、ＬＣＤの端子とＴＣＰあるいはＦＰＣとの間に異方性導電膜（  Ａｎｉｓｏｔｒｏｐｉｃ  Ｃｏｎｄｕｃｔｉｖｅ  Ｆｉｌｍ：以下、ＡＣＦという）を介在させ、これを加熱加圧することによりこれらを電気的に接続する方法が知られている。
【０００３】
ＡＣＦは、導電粒子を合成樹脂中に均一に分散させた高分子層を熱圧着して導電粒子を互いに接触させることにより形成されるもので、膜の厚さ方向のみ導電性が付与され、それ以外の方向に対しては絶縁性を示す特性を有している。そして、このようなＡＣＦは、取扱い性を考慮して通常その片面または両面が離型紙によって覆われることにより２層または３層構造とされ、異方性導電フィルムテープとしてリールに巻回されている。
【０００４】
図５にＬＣＤの端子とＴＣＰあるいはＦＰＣとの間に貼着されるＡＣＦを示す。同図において、符号１は銅、銀、金などの導電性粒子２が混入されたＡＣＦ、３，４はＡＣＦ１の両面にそれぞれ貼着された離型紙と中間紙で、これらによって異方性導電フィルムテープ（以下、テープという）５を形成している。なお、離型紙３と中間紙４も合成樹脂製のフィルムによって形成されている。
【０００５】
図６は、従来のＡＣＦ貼着装置の概略構成を示す平面図で、符号１０は図において反時計方向に１２０°ずつ間欠的に回転するターンテーブル、１１，１２，１３はターンテーブル１０の周囲に１２０°ずつ位相をずらして設けられた第１、第２、第３ステーション、１４はターンテーブル１０の上面に設置された専用の治具である。この治具１５は、ターンテーブル１０の周方向に第１、第２、第３ステーション１１，１２、１３と同一角度位相をずらして３個設けられ、被貼着物としてのＬＣＤ１６が設置されるようになっている。
【０００６】
ＡＣＦ１の貼着に際しては、先ず第１ステーション１１でＬＣＤ１６を治具１５上に載置し、微調整機構によってＸ，Ｙ，θ方向の位置を微調整して位置決めする。ＬＣＤ１６の治具１５への供給と位置決めおよび取出し作業は通常作業者が行う。次に第２ステーション１２においてテープ５をＬＣＤ１６に供給する。ここでは、テープ５から中間紙４を剥離した後、この中間紙４が剥離されたテープ５を所定の長さに切断してＬＣＤ１６の端子上に載置して仮止めし、第３ステーション１３で仮止めされたテープ５を一定時間加熱加圧することにより、ＡＣＦ１の熱硬化性を利用してＡＣＦ１を端子に仮付けした後、離型紙３を剥離する。この加熱加圧時間は、ＬＣＤ１６の大きさ、加圧時間などによっても異なるが、通常は加圧力が２０Ｋｇｆ／ｃｍ2 、加熱温度が１００°Ｃ前後で、５秒前後加熱する。その後、第１ステーション１１に戻ってＡＣＦ１が貼着されたＬＣＤ１６を治具１５から取外し、次のＬＣＤ１６を設置する。以下、同様でターンテーブル１０が１／３回転して停止する度に、第１ステーション１１におけるＬＣＤ１６の取出し、供給、位置決め、第２ステーション１２におけるテープ５の供給、仮止め、第３ステーション１３におけるＡＣＦ１の圧着、離型紙３の剥離が同時に行われる。なお、ＡＣＦ１が貼着されたＬＣＤ１６は、治具１５から取外されると次工程で液晶駆動回路を構成するＴＣＰあるいはＦＰＣに電気的に接続される。このときも加熱加圧によってＡＣＦ１をＴＣＰあるいはＦＰＣに仮圧着または本圧着する。
【０００７】
【発明が解決しようとする課題】
上記したように従来の貼着装置は、３ステーションのターンテーブル方式を採用し、ＬＣＤ１６の端子部にＡＣＦ１を自動的に貼着するものであるが、第３ステーション１３においてテープ５を仮付機構によって仮付けした後、離型紙剥離機構によって離型紙３を剥離するようにしているため、仮付機構と離型紙剥離機構が１箇所に集中していた。そのため、第３ステーション１３の構造が第１、第２ステーション１１，１２に比べて複雑化し、仮付機構と離型紙剥離機構の取付け、調整作業に時間がかかるという問題があった。
【０００８】
本発明は上記した従来の問題を解決するためになされたもので、その目的とするところは、ステーション数を増加し、各ステーションを単機能化することにより、仮付機構と離型紙剥離機構の取付け、調整作業を容易に行うことができるようにした貼着物の貼着装置を提供することにある。
【０００９】
【課題を解決するための手段】
上記目的を達成するために本発明は、少なくとも片面が離型紙によって覆われた貼着物を被貼着物に貼着する貼着物の貼着装置において、前記被貼着物が載置されるターンテーブルの周囲に４つのステーションを設け、第１ステーションに前記ターンテーブルに供給される被貼着物を収納する容器を設け、第２ステーションに前記貼着物を所定長さに切断してターンテーブル上の被貼着物に仮止めする仮止め機構を設け、第３ステーションに前記貼着物を被貼着物に一定時間加熱加圧して仮付けする仮付機構を設け、第４ステーションに前記離型紙を剥離する離型紙剥離機構を設けてなり、前記離型紙剥離機構を、粘着テープと、この粘着テープを下降させて前記離型紙の一端部に密着させると再び上昇させることにより前記離型紙の一端部を前記粘着物から剥離させる手段と、前記手段によって持ち上げられた前記離型紙の一端部と前記粘着物との間に差し込まれ相対的に離型紙の他端側に移動することにより前記離型紙を前記粘着物から完全に離型させる離型板と、前記離型紙を前記粘着テープから剥離する手段とで構成したことを特徴とする。
また、本発明は、上記発明において、被貼着物が液晶表示パネルで、貼着物が異方性導電フィルムであることを特徴とする。
【００１０】
本発明においては、４ステーションのターンテーブル方式を採用し、第３ステーションに仮付機構を設け、第４ステーションに離型紙剥離機構を設けているので、これら両機構を物理的に離して配置することができる。したがって、これら両機構の取付け、調整作業が容易になる。
【００１１】
【発明の実施の形態】
以下、本発明を図面に示す実施の形態に基づいて詳細に説明する。
図１は本発明をＡＣＦ貼着装置に適用した一実施の形態を示す概略平面図、図２はＡＣＦ供給部の正面図である。なお、従来技術の欄で示した構成部材等と同一のものについては同一符号をもって示し、その説明を適宜省略する。これらの図において、ＡＣＦ貼着装置２０は、４ステーションのターンテーブル方式を採用することにより、ターンテーブル１０の周囲に９０°ずつ位相をずらして第１〜第４ステーション１１〜１４を設けている。
【００１２】
ターンテーブル１０は、架台２１上に回転自在に設置され、図示しないインダクションモータによって図１において反時計方向に９０°ずつ間欠的に回転する。架台２１の内部には、ＡＣＦ貼着装置２０の動作を制御する制御部が組み込まれている。ターンテーブル１０の上面には、４つの治具１５が９０°ずつ位相をずらして設置されている。この治具１５は、Ｘ，Ｙ方向に移動自在なＸステージおよびＹステージと、このＹステージ上に水平面内において回動自在に設けられＬＣＤ１が載置されるθステージと、これらのステージのＸ，Ｙ，θ方向の位置を微調整する図示しない微調整機構とを備え、また真空ポンプまたは真空発生器に接続されることによりＬＣＤ１６をθステージの上面に吸引保持する。なお、このような治具１５は従来から周知で、ＬＣＤ１６のサイズに応じて一定範囲内のサイズごとに交換される。
【００１３】
前記第１ステーション１１には、ＡＣＦ１が貼着されていないＬＣＤ１６を収納する容器２２と、アライメント光学系２３と、ＬＣＤ１６の位置決め機構（図示せず）が設けられ、この位置決め機構によってＬＣＤ１６の治具１５への供給、位置決めと、ＬＣＦ１が貼着されたＬＣＤ１６の治具１５からの取外しを行う。ただし、容器２２から治具１５へのＬＣＤ１６の供給を作業者が手動によって行う場合は、位置決め機構を必要としない。
【００１４】
前記アライメント光学系２３は、予めターンテーブル１０を９０°ずつ回転させて全ての治具１５の位置を調整するためのもので（イニシャライズ）、２台のカメラ２４による画像認識によって自動的に行う。また、カメラ２４によって撮影された画像をモニタに表示する。
【００１５】
前記第２ステーション１２はＡＣＦ供給機構（仮止め機構）２５を備え、これによりテープ５から中間紙４を剥離してＬＣＤ１６の端子部の長さに対応した長さに切断した後、端子部の上に載置して仮止めする。テープ５は、供給リール２６に巻回されており、ターンテーブル１０に同期してリール２６が間欠的に回転することにより一定長さずつ繰り出される。このとき、中間紙４は剥離され中間紙巻取リール２７に巻取られる。中間紙４が剥離されたテープ５は、所定長さに切断されるとＬＣＤ１６の端子部の上に載置され仮止めされる。
【００１６】
図３（ａ）〜（ｅ）にＡＣＦ供給機構によるＡＣＦの仮止め工程を示す。
中間紙４が剥離されたテープ５は離型紙３を上、ＡＣＦ１を下にしてガイド３０に沿って搬送され、先端が所定の位置に移動すると停止して引出しチャック３１により保持される（ａ）。引出しチャック３１はテープ５の先端を保持すると所定距離後退して停止し（ｂ）、ガイド３０と引出しチャック３１間のテープ５を吸着ブロック３２が吸着する（ｃ）。しかる後カッタ３３が下降してブロック３０と吸着ブロック３２間のテープ５を切断すると（ｄ）、吸着ブロック３２はこの切断されたテープ５をＬＣＤ１６の上方に搬送してその端子部３５上に載置し、ＡＣＦ１を密着させる（ｅ）。これによりＡＣＦ１は端子部３５に仮止めされる。
【００１７】
前記第３ステーション１３には、ＡＣＦ１をＬＣＤ１６に圧着する圧着ヘッド４１を備えた仮付機構４０が設置されている。圧着ヘッド４１はヒータを内蔵しており、ターンテーブル１０の間欠的回転によりＬＣＤ１６が仮止めされたテープ５とともに送られてきて圧着位置に停止すると、エアシリンダによって下降されてテープ５を所定の温度と圧力で一定時間加熱圧力しＡＣＦ１をＬＣＤ１６に仮付けする。そして、ＡＣＦ１の圧着が終了すると上昇して初期位置に復帰する。
【００１８】
前記第４ステーション１４は離型紙剥離機構４５を備え、これによってＡＣＦ１から離型紙３を剥離する。
【００１９】
図４（ａ）〜（ｄ）に離型紙剥離機構による離型紙の剥離工程を示す。
離型紙剥離機構４５は、ローラ４６に添接された粘着テープ４７と離型板４８を備え、ローラ４６をエアシリンダ等によって下降させて粘着テープ４７を離型紙３の上面前端部に押付け、離型紙３を粘着テープ４７に密着させる（ａ）。離型紙３が粘着テープ４７に密着すると、ローラ４６が上昇し、粘着テープ４７が離型紙３の前端部を持ち上げＡＣＦ１から剥離する（ｂ）。ローラ４６が所定高さまで上昇して停止すると、離型板４８が剥離されているＡＣＦ１と離型紙３との間に挿入され後方に向かって移動することにより、離型紙３をその全長にわたってＡＣＦ１から剥離する（ｃ）。次いで、剥離された離型紙３をチャック４９によって保持して粘着テープ４７から剥離し、トレーに排出する（ｄ）。
【００２０】
第４ステーション１４において離型紙３の剥離が終了すると、ＬＣＤ１６はターンテーブル１０の間欠的回転に伴い第１ステーション１１に戻り、治具１５から取外された後、次の工程に搬送される。
【００２１】
このような構成からなるＡＣＦ貼着装置２０においては、従来の３ステーションに替えて４ステーションとし、第３ステーション１３においてＡＣＦ１の圧着を行い、第４ステーション１４においてＡＣＦ１から離型紙３を剥離するように構成したので、仮付機構４０と離型紙剥離機構４５を十分に離して設置することができる。したがって、これら両機構の取付けおよび調整作業が容易である。
【００２２】
なお、上記した実施の形態においては、ＡＣＦ１をＬＣＤ１６に貼着するＡＣＦ貼着装置に適用した例を示したが、本発明はこれに何等限定されるものではなく、少なくとも片面が離型紙によって覆われた貼着物を被貼着物に加熱加圧して貼着する貼着装置の全てに適用することが可能である。
【００２３】
【発明の効果】
以上説明したように本発明に係る貼着物の貼着装置によれば、４ステーションのターンテーブル方式とし、第３ステーションにおいて仮付機構により貼着物の圧着を行い、第４ステーションにおいて離型紙剥離機構により離型紙の剥離を行うように構成したので、仮付機構と離型紙剥離機構を分離して配置することができる。したがって、これら両機構の取付けおよび調整作業が容易である。
【図面の簡単な説明】
【図１】本発明をＡＣＦ貼着装置に適用した一実施の形態を示す概略平面図である。
【図２】ＡＣＦ供給部の正面図である。
【図３】（ａ）〜（ｅ）はＡＣＦ供給機構によるＡＣＦの仮止め工程を示す図である。
【図４】（ａ）〜（ｄ）は離型紙剥離機構による離型紙の剥離工程を示す図である。
【図５】ＬＣＤの駆動用電極に貼着されるＡＣＦを示す図である。
【図６】従来のＡＣＦ貼着装置の概略構成を示す平面図である。
【符号の説明】
１…ＡＣＦ、２…導電性粒子、３…離型紙、４…中間紙、５…異方性導電フィルムテープ、１０…ターンテーブル、１１…第１ステーション、１２…第２ステーション、１３…第３ステーション、１４…第４ステーション、１５…治具、１６…ＬＣＤ、２２…容器、２５…ＡＣＦ供給機構、４０…仮付機構、４５…離型紙剥離機構。
【図１】
0003595125.tif 000002
【図２】
0003595125.tif 000003
【図３】
0003595125.tif 000004
【図４】
0003595125.tif 000005
【図５】
0003595125.tif 000006
【図６】
0003595125.tif 000007